(57)【特許請求の範囲】
【請求項１】
原稿の双方の面を読み取る画像読取装置と、
読み取られた原稿画像の読取特性を補正するフィルタ処理装置と、
を有する画像処理装置において、
前記フィルタ処理装置は、
前記原稿画像を構成する各画素について、その画素の濃度に応じて制御される信号を出力し、
前記原稿画像を構成する画素の濃度を示す値を微分することにより前記原稿画像を構成する各画素の特徴値を算出し、
前記原稿画像を構成する画素について夫々算出した特徴値を、裏面の対応する位置の画素について出力された前記濃度に応じて制御される信号に応じて増大させ、
前記増大された特徴値に基づいて前記原稿画像の読み取り特性を補正することを特徴とする画像処理装置。
【請求項２】
請求項１記載の画像処理装置において、
前記フィルタ処理装置は、
前記原稿画像を構成する各画素について、その画素を含む所定範囲の画素の濃度が所定の閾値以上である場合に、その画素の濃度が高いことを示す信号を出力し、
前記原稿画像を構成する画素について夫々算出した特徴値を、裏面の対応する位置の画素について前記濃度が高いことを示す信号が出力されている場合に増大させることを特徴とする画像処理装置。
【請求項３】
請求項１または２記載の画像処理装置において、
前記フィルタ処理措置は、
前記原稿画像を構成する画素の縦方向及び横方向について画素の濃度を示す値を微分することにより、夫々の方向に微分した結果を合成して各画素の特徴値を算出することを特徴とする画像処理装置。
【請求項４】
請求項１ないし３いずれか１項に記載の画像処理装置において、
前記フィルタ処理装置は、
前記原稿画像を構成する画素の濃度を示す値を複数回微分することにより、微分回数毎の結果を合成して各画素の特徴値を算出することを特徴とする画像処理装置。
【請求項５】
請求項１ないし４のいずれか１項に記載の画像処理装置と、
前記画像処理装置から出力された画像データに基づいて作像する作像手段と、
を備えていることを特徴とする画像形成装置。
【発明の詳細な説明】
【技術分野】
【０００１】
本発明は、原稿面の表面及び裏面の双方を同時に読み取る読み取り手段を備え、画像データ中の特徴量、彩度を検出して適切な画像処理を施す画像処理装置、及びこの画像処理装置を備えた画像形成装置に関する。
【背景技術】
【０００２】
従来から原稿画像を読み取りその画像データの特性に基づいてフィルタ処理を行う画像処理装置は公知である。例えば、そのような画像処理装置では、フィルタ処理内の特徴量検出結果及び彩度検出結果に基づいて画素ごとに適切な画像処理を行うことにより、入力原稿の特徴に応じて強調処理を行い、また、原稿の彩度に応じて彩度変換を行うことによって画像品質の向上を図っている。一方、表面、裏面ともに情報が描かれている両面原稿を読み取って画像処理する技術も公知である。このような両面読み取りを行う読み取り装置として、例えば特許文献１及び２に記載された発明が知られている。
【０００３】
このうち特許文献１記載の発明は、原稿の表裏両面に形成された画像を読み取ることのできる両面同時読み取りにおいて、読み取られた表裏面の画像データにおける画質差の発生を抑制することを目的とし、原稿の一方の側から当該原稿における第一面の画像を読み取る第一の読み取り手段と、前記原稿の他方の側から当該原稿における第二面の画像を読み取る第二の読み取り手段と、前記第一の読み取り手段にて読み取られた前記第一面の画像データを、当該第一の読み取り手段に起因する特性を加味して第一の画像データに補正する第一の前処理手段と、前記第二の読み取り手段にて読み取られた前記第二面の画像データを、当該第二の読み取り手段に起因する特性を加味して第二の画像データに補正する第二の前処理手段と、前記第一の前処理手段にて前処理された第一の画像データ及び前記第二の前処理手段にて前処理された第二の画像データに後処理を施す後処理手段とを含む画像読み取り装置を特徴としている。
【０００４】
また、特許文献２記載の発明は、複数の受光チップを並べて構成したラインセンサのギャップにおける画像データの補間を的確に行うことを目的とし、複数の光電変換素子が一列に配設された第一の受光チップを直線状に複数並べて構成され、原稿上の画像を読み取る第一のラインセンサと、複数の光電変換素子が一列に配設された第二の受光チップを直線状に複数並べて構成されると共に、前記第一のラインセンサに対して長手方向にずらして取り付けられ、前記原稿上の画像を読み取る第二のラインセンサと、前記第一のラインセンサの前記第一の受光チップ間に形成されるギャップ領域における画像データを、前記第二のラインセンサにおける所定の第二の受光チップにて読み取られた当該ギャップ領域に対応する画像データを用いて補間する処理部とを含む画像読み取り装置を特徴としている。
【特許文献１】特開２００６−０１３９２４号公報
【特許文献２】特開２００５−２１７４６７号公報
【発明の開示】
【発明が解決しようとする課題】
【０００５】
前述のように、読み取った原稿画像の画像データの特性に基づいてフィルタ処理を行う場合、フィルタ処理内の特徴量検出結果及び彩度検出結果に基づいて画素ごとに適切な画像処理、すなわち、入力原稿の特徴に応じた強調処理、原稿の彩度に応じた彩度変換を行って画像品質の向上を図っている。
【０００６】
しかしながら、読み取り原稿が両面原稿である場合、片方の面の特徴量検出、彩度検出を行う際に、他方の面からの裏映りの影響を受けて本来の特徴量、彩度を検出できないことがある。例えば、図１１（ａ）に示すように原稿の表面に文字が書かれ、かつ、図１１（ｂ）に示すように原稿の裏面が濃度の高い絵柄の場合、画像読取装置で読み取った表面の画像は、裏映りの影響を受けて図１２に示すように図１１（ａ）の画像が濃度の薄い図１１（ｂ）の画像と合成されたものとなっている。すなわち、表面には、文字しか描かれていないにもかかわらず、裏面の絵柄が映った画像も読み込まれ、両者の合成画像として認識されている。その結果、表面で本来大きな特徴量（大きな画像の変化）が検出される画素において、裏写りとの階調差が縮小され、小さな特徴量として検出されてしまう。裏面の影響度は、紙厚が薄いほど、裏面の絵柄の濃度が高いほど大きくなる。
【０００７】
原稿画像の片面を読み取ったとき、中間濃度から低濃度の範囲で読み取られた画像は裏映りの影響である可能性があるが、それが裏映りの影響で読み取られたものであるのか、それとも表面に元々存在するものであるのかを判断することはできない。特に紙が薄いものである場合には、裏映りの影響が大きく、誤判定の可能性が高くなる。
【０００８】
なお、前記特許文献１記載の発明は、原稿の表裏両面に形成された画像を読み取ることのできる両面同時読み取りにおいて、読み取られた表裏面の画像データにおける画質差の発生を抑制するもので、表面のデータを補正するために裏面のデータを使用してはいない。
【０００９】
また、特許文献２記載の発明は、ＣＣＤイメージセンサとＣＩＳとを用いて、搬送路への原稿の一度の搬送で、この原稿における表裏両面の画像を読み取るもので、その際、ＣＩＳのように複数の受光チップを並べて構成したラインセンサのギャップにおける画像データの補間を的確に行う発明であり、表裏の双方を用いて画像処理を行ってはいない。
【００１０】
本発明は斯かる点に鑑みてなされたもので、解決すべき課題は、両面読み取り画像について裏映りの影響による特徴量及び彩度を正確に検出し、高品質の画像を提供することにある。
【課題を解決するための手段】
【００１１】
前記課題を解決するため、前記課題を解決するため、第１の手段は、原稿の双方の面を読み取る画像読取装置と、読み取られた原稿画像の読取特性を補正するフィルタ処理装置とを有する画像処理装置において、前記フィルタ処理装置は、前記原稿画像を構成する各画素について、その画素の濃度に応じて制御される信号を出力し、前記原稿画像を構成する画素の濃度を示す値を微分することにより前記原稿画像を構成する各画素の特徴値を算出し、前記原稿画像を構成する画素について夫々算出した特徴値を、裏面の対応する位置の画素について出力された前記濃度に応じて制御される信号に応じて増大させ、前記増大された特徴値に基づいて前記原稿画像の読み取り特性を補正することを特徴とする。
【００１２】
第２の手段は、第１の手段において、前記フィルタ処理装置は、前記原稿画像を構成する各画素について、その画素を含む所定範囲の画素の濃度が所定の閾値以上である場合に、その画素の濃度が高いことを示す信号を出力し、前記原稿画像を構成する画素について夫々算出した特徴値を、裏面の対応する位置の画素について前記濃度が高いことを示す信号が出力されている場合に増大させることを特徴とする。
【００１３】
第３の手段は、第１または第２の手段において、前記フィルタ処理措置は、前記原稿画像を構成する画素の縦方向及び横方向について画素の濃度を示す値を微分することにより、夫々の方向に微分した結果を合成して各画素の特徴値を算出することを特徴とする。
【００１４】
第４の手段は、第１ないし第３のいずれかの手段において、前記フィルタ処理装置は、
前記原稿画像を構成する画素の濃度を示す値を複数回微分することにより、微分回数毎の結果を合成して各画素の特徴値を算出することを特徴とする。
【００１８】
第５の手段は、第１ないし第４のいずれかの手段に係る画像処理装置と、前記画像処理装置から出力された画像データに基づいて作像する作像手段とを画像形成装置が備えていることを特徴とする。
【発明の効果】
【００２０】
本発明によれば、両面読み取り画像について裏映りの影響による特徴量及び彩度を正確に検出し、高品質の画像を提供することができる。
【発明を実施するための最良の形態】
【００２１】
以下、図面を参照し、本発明の実施形態について説明する。
【００２２】
図１は、本発明の実施形態に係るデジタル式のフルカラー画像処理装置の概略構成を示すブロック図である。図１はフルカラー画像処理装置がフルカラー複写機として動作する場合の例である。同図において、フルカラー複写機１は、読み取り側として第一画像読取部２、第二画像読取部３、画像受取部４、フィルタ前処理部６、メモリ制御部７、圧縮処理部８を備え、書き込み側として伸長処理部１２、プリンタ補正部１３及びプロッタ１４を備え、汎用バス９を介して前記読み取り側と書き込み側とが接続されるとともに、当該汎用バス９を介してコントローラ１０とＮＩＣ１５に接続されている。また、コントローラ１０にはＨＤＤ１１が接続されている。
【００２３】
大略、このような構成要素を備えたフルカラー複写機１では、第一画像読取部２及び第二画像読取部３は原稿からＲ（レッド）、Ｇ（グリーン）、Ｂ（ブルー）に色分解した画像データを読み取り、当該画像データ（アナログ信号）をデジタルデータに変換して出力する。ここで生成したそれぞれの画像データは、画像データ受け取り部４に入力される。
【００２４】
受け取られた画像データは、メモリ制御部５とフィルタ前処理部６に入力される。フィルタ前処理部６では、後述するスキャナ補正部７に含まれるフィルタ処理部７３でフィルタ処理する際に参照するデータを生成する。
【００２５】
メモリ制御部５では、フィルタ前処理部６で生成したデータと第一画像読取２部及び第二画像読取部３で読み取った画像データを同期させつつメモリに蓄積する。ここでは、大量に画像データを扱う目的で図示しないストレージを持つ。そのストレージに画像データ及びフィルタ前処理部６で生成したデータを蓄え、次の入力画像を受け取り、あるいはハードコピーを行うために蓄積してあった画像データをスキャナ補正部７に送出する。このとき図示しない画像メモリコントロールを用いて、画像データの蓄積処理とストレージからの画像データの取り出しをコントロールする。本実施形態では、第一画像読取部２からの画像データを先に処理し、次に第二画像読取部３からの画像データを処理する。連続して読み取りを行う場合は、第一画像読取部２で読み取られた画像データと第二画像読取部３で読み取られた画像データを交互にスキャナ補正部７に送出することになる。
【００２６】
スキャナ補正部７は、スキャナで読み取ったＲＧＢ画像データ（デジタルデータ）について、スキャナＹ補正処理を行い、画像領域を文字・線画や絵柄などに分類（像域分離）し、像域分離の判定結果に応じて画像の文字部は強調して絵柄部は平滑化するフィルタ処理を行うなどの画像処理を施してスキャナの特性を補正する。
【００２７】
圧縮処理部８は、スキャナ補正後の多値画像データを圧縮処理して汎用バス９にデータを送出する。圧縮後の画像データは汎用バス９を通って、コントローラ１０に送られる。コントローラ１０は図示しない半導体メモリを持ち、送られたデータを蓄積するようになっている。蓄積されたデータは随時大容量の記憶装置であるハードディスクドライブ（ＨＤＤ）１１に書き込まれる。これはプリントアウト時に用紙がつまり、出力が正常に終了しなかった場合でも再び原稿を読み直すのを避け、あるいは、複数の原稿画像データを並べ替える電子ソートを行うため、さらには、読み取った原稿を蓄積しておき、必要なときに再出力するためである。なお、ここでは画像データに対し圧縮を施すとしたが、汎用バス９の帯域が十分に広く、蓄積するＨＤＤ１１の容量が大きければ、非圧縮の状態でデータを扱っても良いことは言うまでもない。
【００２８】
次にコントローラ１０は、ＨＤＤ１１に蓄積された画像データを、汎用バス９を介して伸張処理部１２に送出する。伸張処理部１２は圧縮処理されていた画像データを元の多値データに伸張し、プリンタ補正部１３に送出する。プリンタ補正部１３では、プリンタＹ補正処理及び階調処理が行われ、プロッタの明暗特性の補正処理、プロッタの階調特性及び像域分離結果に応じた誤差拡散処理、ディザ処理等による画像データが量子化される。プロッタ１４はレーザビーム書き込みプロセスを用いた転写紙印字ユニットで、画像データを感光帯に潜像として描画し、トナーによる作像／転写処理後、転写紙にコピー画像を形成する。
【００２９】
ネットワークを介してＰＣに画像データを配信する配信スキャナとして動作する場合は、圧縮処理されるまでは複写機として動作する場合と同様の処理手順で処理される。その後、コントローラ１０に画像が送られる。コントローラ１０ではフォーマット処理が行われ、フォーマット処理では、ＪＰＥＧやＴＩＦＦ、Ｂ肝形式への汎用画像フォーマット変換を行う。その後、画像データは汎用バス９を介してＮＩＣ（ネットワークインターフェース・コントローラ）１５に送られ、当該ＮＩＣ１５から外部のＰＣ端末に配信される。
【００３０】
図１で述べた第一画像読取部２及び第二画像読取部３は、前記特許文献２（特開２００５−２７４６７号公報）に開示されている原稿送り装置及び画像読取装置のＣＣＤイメージセンサによって読み取る機構と、ＣＩＳによって読み取る機構を適用することにより実施することができる。この装置を用いれば、ＣＣＤイメージセンサにより原稿の第一面の読み取りを行う原稿の搬送時に、同時（時間の完全一致ではなく、同一の原稿搬送時程度の意味）にＣＩＳによって、原稿の第二面の読み取りを行うことが可能である。すなわち、ＣＣＤイメージセンサとＣＩＳとを用いて、搬送路への原稿の一度の搬送で、この原稿における表裏両面の画像を読み取ることを可能にすることができる。
【００３１】
ここでは、ＣＣＤイメージセンサにより原稿の第一面の読み取りを行う部分が第一画像読取部２に相当し、ＣＩＳを用いて第二面の読み取りを行う部分が、第二画像読取部３に相当する。ここで用いられているＣＩＳとは、近年装置の小型化を目的として、形状の小さいＬＥＤ（ＬｉｇｈｔＥｍｉｔｔｉｎｇＤｉｏｄｅ：発光ダイオード）を光源に利用し、レンズを介してリニアセンサで画像を直接読み取るＣＩＳ（Ｃｏｎｔａｃｔ  ｌｍａｇｅ  Ｓｅｎｓｏｒ）と呼ばれるものである。カラー画像を読み込む場合には、ＬＥＤにＲ（レッド）Ｇ（グリーン）Ｂ（ブルー）の三色のＬＥＤ光源を組み合わせ、ラインセンサユニットとしてＲＧＢ三色用の三列一組のセンサを用いれば良い。
【００３２】
図２は第一画像読取部２及び第二画像読取部３で画像を読み取った後、メモリ制御部５に至るまでの画像データの流れを示す図である。同図において、第一画像読取部２及び第二画像読取部３によってフルカラー（ＲＧＢ）画像が読み取られる。ここでは、第一画像読取部２で読み取られたデータを（ｒ１，ｇ１，ｂ１）、第二画像読取部で読み取られた画像データを（ｒ２，ｇ２，ｂ２）とする。これらの画像データが画像受け取り部４に入ってくる。これらの画像データは、メモリ制御部５に送出されるが、フィルタ前処理部６にも送出される。フィルタ前処理部６においては、後工程に存在するフィルタ処理部７３が参照するデータが生成される。フィルら前処理部６において第一画像読取部２で読み取られたデータを元に生成されるデータをＸ１、第二画像読取部３で読み取られたデータを元に生成されるデータをＸ２とする。フィルタ処理部７３では、第一画像読取部２で読み取られたデータに対しフィルタを行う際にＸ２を参照し、第二画像読取部３で読み取られたデータのフィルタを行う際にＸ１を参照する。これにより、原稿の片側の面のフィルタ処理を行う際に、その反対側の面の情報を参照することができるようになる。
【００３３】
図３はフィルタ前処理部６の詳細を示す図である。以下、画像データの数値が大きいほど、濃い画像であるとして説明を進める。図３において、フィルタ前処理部６は、裏面用２値化部６１、高濃度パターンマッチング部６２、及び膨張部６３からなる。裏面用２倍化部６１では、ＲＧＢ信号（ｒ１．ｇ１．ｂ１）全てが閾値ｒ＿ｔｈ１よりも大きいときにアクティブ信号ｒ＿ｈ１を発生する。また、ＲＧＢ信号（ｒ２，ｇ２，ｂ２）全てが閾値ｒ＿ｔｈ２よりも大きいときにアクティブ信号ｒ＿ｈ２を発生する。高濃度パターンマッチング部６２では、図４に示すような５×５画素を参照し、ｒ＿ｔｈ１が参照する５×５画素内で全てＯＮになっているときに、注目画素（図６の中央の画素）にアクティブ信号Ｒ＿Ｈ１を発生する。ｒ＿ｔｈ２が参照する５×５画素内で全てＯＮになっているときに、注目画素にアクティブ信号Ｒ＿Ｈ２を発生する。膨張部６３では、注目画素でアクティブ信号Ｒ＿Ｈｌが発生している場合に、それを中心として７×７画素の範囲にアクティブ信号Ｘ１を発生させる。また、注目画素でアクティブ信号Ｒ＿Ｈ２が発生している場合に、それを中心として７×７画素の範囲にアクティブ信号Ｘ２を発生させる。Ｘ１，Ｘ２は原稿の高濃度領域を検出する。高濃度部分の反対面では裏映りが発生する確率が高いので、そのような領域を後述するフィルタ処理部７３で参照することになる。
【００３４】
図５はスキャナ補正部７の詳細を示す図である。同図において、スキャナ補正部７は、スキャナから入力したＲＧＢ画像データに基づき、原稿の画像領域（像域）が文字領域か、網点領域か、絵柄領域か、などを判定する像域分離部７１と、スキャナの特性によるＲＧＢ画像データのデジタル値を明度に比例するデジタル値に変換するスキャナＹ補正部７２と、像域分離の結果に基づいて画像データに強調処理をかけ、あるいは平滑化処理をかるフィルタ処理部７３と、ＲＧＢに色分解された画像データを、それとは異なる色空間であるＣ（シアン）、…（マゼンタ）、Ｙ（イエロー）、Ｋ（ブラック）の記録色情報を含むカラー画像データに変換する色補正部７４と、入力画像における量走査方向の大きさを拡大縮小して出力する変倍処理部７５とから構成される。
【００３５】
図６は図５に示したフィルタ処理部７３の詳細を示すブロック図である。図６において、フィルタ処理部７は、ＲＧＢ→ＣＭＹ変換＆特徴量γ部７３１、特徴量算出部７３２、ＲＧＢ−ＹＵＶ変換部７３３、彩度算出部７３４、強調部７３５、平滑部７３６、及び彩度制限部７３７からなる。同図において、フィルタ前処理部６から入力される前記データＸは特徴量算出部７３２と彩度算出部７３４に入力され、メモリ制御部５から入力されるＲＧＢデータはＲＧＢ→ＣＭＹ変換＆特徴量γ部７３１及びＲＧＢ−ＹＵＶ変換部７３３にそれぞれ入力され、各部でＣＭＹデータとＹＵＶデータに変換される。
【００３６】
前記ＣＭＹデータはさらに特徴量算出部７３２に入力され、特徴量算出部７３２で後述の処理を行った後、強調部７３５に入力される。また、ＹＵＶデータは彩度算出部７３４、強調部７３５及び平滑部７３６にパラレルに入力される。さらに、彩度算出部７３４からの出力は強調部７３５に入力され、強調部７３５と平滑部７３６の出力は彩度制限部７３７に入力され、ＲＧＢデータとして色補正部７４側に出力される。
【００３７】
図７は特徴量算出部７３２の詳細な構成を示すブロック図である。同図において、特徴量算出部７３２は、一次微分（縦）回路７３２１、一次微分（横）回路７３２２、二次微分（縦）回路７３２３、二次微分（横）回路７３２４、二次微分（斜）回路７３２５、及び特徴量合成回路７３２６からなる。特徴量算出部７３２に入力された原稿の表裏の画像データに関係する前記データＸは特徴量合成回路７３２６に入力される。一方、ＲＧＢ→ＣＭＹ変換＆特徴量γ部７３１から入力されるＣＭＹデータは、一次微分（縦）回路７３２１、一次微分（横）回路７３２２、二次微分（縦）回路７３２３、二次微分（横）回路７３２４、二次微分（斜）回路７３２５にそれぞれ入力され、一次微分（縦）回路７３２１及び一次微分（横）回路７３２２はそれぞれ二次微分（縦）回路７３２３、二次微分（横）回路７３２４にも入力されて二次微分が行われ、前記各回路からの出力が特徴量合成回路７３２６に入力されて特徴量が出力される。
【００３８】
特徴量合成回路７３２６は、図７に示すように、特徴量合成後の値を、Ｘ１またはＸ２信号がアクティブか否かによって切り替える。すなわち、第一画像読取部２で読み取ったＲＧＢ画像（ｒ１，ｇ１．ｂ１）はフィルタ前処理部６で生成したＸ２信号と同期して送られてくるが、Ｘ２信号がアクティブな場合は、アクティブでないときよりも特徴量合成後の値を高くする。特徴量合成後の値は、大きいほど特徴量がとれやすくなり強調を強くかけられるものであるので、Ｘ２信号がアクティブなとき、すなわち、第二画像読取部３で読み取った画像が高濃度であるため、第一画像読取部２に裏映り画像として影響を与える可能性が高いときに、大きい特徴量を検出しやすいようにしている。従って、白地上の文字が裏移りの影響で強調できなくなる可能性を低減することができる。なお、第二画像読取部３で読み取ったＲＧＢ画像（ｒ２，ｇ２，ｂ２）に対しては、Ｘ１信号がアクティブな場合に、アクティブでないときよりも特徴量の値を高くする。
【００３９】
彩度検出部７３１は、図８に示すように彩度検出後の値を、Ｘ１またはＸ２信号がアクティブか否かによって切り替える。すなわち、第一画像読取部２で読み取ったＲＧＢ画像（ｒ１，ｇ１，ｂ１）はフィルタ前処理部６で生成したＸ２信号と同期して送られてくるが、Ｘ２信号がアクティブな場合は、アクティブでないときよりも彩度検出後の値を高くする。彩度検出後の値は、大きいほど色の濁りがとれやすくなるものであるので、Ｘ２信号がアクティブなとき、すなわち、第二画像読取部３で読み取った画像が高濃度であるため、第一画像読取部２に裏映り画像として影響を与える可能性が高いときに、大きい彩度を検出しやすいようにしている。従って、白地上の文字が裏移りの影響で強調できなくなる可能性を低減することができる。なお、第二画像読取部３で読み取ったＲＧ画像（ｒ２，ｇ２，ｂ２）に対しては、Ｘ１信号がアクティブな場合に、アクティブでないときよりも彩度の値を高くする。
【００４０】
図９はプリンタ補正部１３の詳細な構成を示すブロック図である。同図に示すように、プリンタ補正部１３は、伸張処理部１２を経たＣＨＹＫの画像データに対して、プロッタの周波数特性に応じてＹ補正を行うプリンタＹ補正部１３１とディザ処理・誤差拡散処理などの量子化を行う階調処理部１３２を備えており、プリンタ特性が補正されたＣＨＹＫ画像データを出力する。このデータがプロッタ１４に送られ、プロッタ１４は送られてきた画像データに基づいて作像を行い、作像された画像を用紙上に転写することによって画像形成を行う。
【００４１】
プリンタＹ補正部１３１は像域分離の判定結果が文字判定領域である場合は、コントラストをつけるようなＹ補正を行い、像域分離の判定結果が絵柄である場合は、階調性の再現を重視するようなＹ補正を行う。階調処理部１３２は、像域分離の判定結果が文字判定領域である場合は、文字先鋭性を重視するような中間調処理を行い、像域分離の判定結果が絵柄である場合は、画像の滑らかさを重視するような中間調処理を行う。
【００４２】
これまで本実施例は、ＣＣＤイメージセンサにより原稿の第一面の読み取りを行う原稿の搬送時に、同時にＣＩＳによって、原稿の第二面の読み取りを行っている。即ち、ＣＣＤイメージセンサとＣＩＳとを用いて、搬送路への原稿の一度の搬送で、この原稿における表裏両面の画像を読み取る例を挙げているが、本発明は、必ずしもそのように二つの読取手段を用いる必要はない。例えば前述の特許文献２記載の原稿送り装置及び画像読取装置を用い、当該公報に記載されている方法によりスイッチバック方式で読み取れば、ＣＣＤイメージセンサのみで原稿の表裏両面を読み取ることができる。
【００４３】
このときのフルカラー画像処理装置の概略構成を示したブロック図は、図１０のようになる。スキャナ補正部７以降は、図１とまったく同一の構成となっているが、そこに至るまでの処理に相違点がある。両面画像読取部２’は、スイッチバック方式の画像読取装置であり、両面原稿の双方の面を交互に読み取り、フィルタ前処理部６にＲＧＢデジタル画像データを送出する。フィルタ前処理部６では、片方の面の画像データが入力され、実施例と同様の処理がなされる。その後、Ｘデータはメモリ制御部５に出力される。Ｘデータがアクティブであるとき、原稿の濃度が高い部分であることを示す。
【００４４】
スイッチバック方式の画像読取装置を用いた場合は、原稿の第一面に関するＲＧＢデータに第二面のＸデータを同期させてスキャナ補正部に出力するため、第一面のＲＧＢデータ及びＸデータを一時的に図示しないストレージに蓄積しておくことになる。その後、原稿の第二面に関するＲＧＢデータが読み取られ、フィルタ前処理部６で第二面のＸデータが生成され、メモリ制御部５に出力される。メモリ制御部５では、図示しない画像メモリコントロールを用いて、画像データの蓄積処理と、ストレージからの画像データの取り出しをコントロールする。そこで第一面をＲＧＢデータと第二面のＸデータを同期させスキャナ補正部７に出力する。続いて、第二面のＲＧＢデータと第一面のＸデータを同期させ、スキャナ補正部７に出力する。スキャナ補正部７への出力はシーケンシャルに行われるので、スキャナ補正部７以降の処理は、前記図１に示したフルカラー画像処理装置と同様のものになる。また、図１０に示したフルカラー画像処理装置ではスキャナ補正部への出力はシーケンシャルとしたが、スキャナ補正処理部を二つ備え、パラレルに処理を行っても良い。
【００４５】
なお、本発明の目的は、これまで記述してきた実施形態の機能を有するソフトウェアのプログラムコードを記録した記憶媒体（または記録媒体）を、システムあるいは装置に供給し、そのシステムあるいは装置のコンピュータが記憶媒体に格納されたプログラムコードを読み出し、実行することによっても、達成される。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステムなどが実際の処理の一部または全部を行い、その処理によって前述した実施形態の機能が実現される場合も含まれる。
【００４６】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれる。
【００４７】
以上のように本実施形態によれば、以下のような効果を奏する。
【００４８】
１）原稿の双方の面を読み取る画像読取装置を備えた画像処理装置において、原稿の片方の面のフィルタ処理を行う際に、当該面及び、その反対面の画像情報の双方を用いることにより、裏映りの影響による特徴量及び彩度の正確な検出を行い、高画質な画像を提供することができる。
【００４９】
２）特徴量検出装置を備え、特徴量を検出する際に、原稿の双方の面を読み取った結果を用いることにより、裏映りの影響による特徴量検出の精度を向上させ、高画質な画像を提供することができる。
【００５０】
３）彩度検出装置を備え、彩度を検出する際に、原稿の双方の面を読み取った結果を用いることにより、裏映りの影響による彩度検出の精度を向上させ、高画質な画像を提供することができる。
【図面の簡単な説明】
【００５１】
【図１】本発明の実施形態に係るデジタル式のフルカラー画像処理装置の概略構成を示すブロック図である。
【図２】第一画像読取部及び第二画像読取部で画像を読み取った後、メモリ制御部に至るまでの画像データの流れを示す図である。
【図３】フィルタ前処理部の詳細を示す図である。
【図４】パターンマッチング部で参照する画素マトリクスを示す図である。
【図５】スキャナ補正部の詳細を示す図である。
【図６】図５に示したフィルタ処理部７３の詳細を示すブロック図である。
【図７】特徴量算出部の詳細な構成を示すブロック図である。
【図８】彩度検出部の構成を示すブロック図である。
【図９】プリンタ補正部の詳細な構成を示すブロック図である。
【図１０】スイッチバック方式で原稿の両面を読み取るデジタル式のフルカラー画像処理装置の概略構成を示すブロック図である。
【図１１】原稿の表面が文字で、裏面が絵柄の原稿の状態を示す図である。
【図１２】図１１の原稿を読み取って出力したときの状態を示す図である。
【符号の説明】
【００５２】
１  フルカラー複写機
２  第一画像読取部
２’  両面画像読取部
３  第二画像読取部
４  画像受取部
５  メモリ制御部
６  フィルタ前処理部
７  スキャナ補正部
８  圧縮処理部
９  汎用バス
１０  コントローラ
１１  ＨＤＤ
１２  伸張処理部
１３  プリンタ補正部
１４  プロッタ
１５  ＮＩＣ
【図１】
0004961310.tif 000002
【図２】
0004961310.tif 000003
【図３】
0004961310.tif 000004
【図４】
0004961310.tif 000005
【図５】
0004961310.tif 000006
【図６】
0004961310.tif 000007
【図７】
0004961310.tif 000008
【図８】
0004961310.tif 000009
【図９】
0004961310.tif 000010
【図１０】
0004961310.tif 000011
【図１１】
0004961310.tif 000012
【図１２】
0004961310.tif 000013